(57)【要約】【課題】  デジタル放送のデータ放送のように、１つのチャンネルに複数のコンテンツが含まれている場合であっても、各コンテンツを視聴する者の視聴情報を測定することを可能とする。【解決手段】  デジタル放送受信機は、視聴者に視聴されているコンテンツのファイルの識別情報、そのファイルが属するストリームの識別情報、そのストリームが属するチャンネルの識別情報、番組名、番組のジャンル、個人情報、コマンド、そのコンテンツが視聴されている日時を検出する視聴情報検出手段と、検出されたファイルの識別情報、ストリームの識別情報、チャンネルの識別情報、番組名、番組のジャンル、個人情報、コマンド、日時を送信する送信手段とを備える。送信手段で送信されたデータをインターネット経由で受信した視聴率集計装置は、受信したデータを基に、コンテンツファイル毎の視聴率を計算する。【選択図】        図１
2005079978.tif 000002
【特許請求の範囲】
【請求項１】
視聴者に視聴されているコンテンツのファイルの識別情報、そのファイルが属するストリームの識別情報、そのストリームが属するチャンネルの識別情報及びそのコンテンツが視聴されている日時を少なくとも検出する視聴情報検出手段と、
検出された前記ファイルの識別情報、前記ストリームの識別情報、前記チャンネルの識別情報及び前記日時を少なくとも送信する送信手段と、
を備えることを特徴とするデータ放送視聴情報測定装置。
【請求項２】
請求項１に記載のデータ放送視聴情報測定装置において、
前記視聴情報検出手段は、更に番組名及び番組のジャンルも検出し、
前記送信手段は、検出された前記番組名及び番組のジャンルも送信することを特徴とするデータ放送視聴情報測定装置。
【請求項３】
請求項１に記載のデータ放送視聴情報測定装置において、
前記検出手段は、定期的に前記検出を行うことを特徴とするデータ放送視聴情報測定装置。
【請求項４】
請求項１に記載のデータ放送視聴情報測定装置において、
前記視聴者による操作を検出する操作検出手段を更に備え、
前記視聴情報検出手段は、前記操作が検出される度に前記測定を行い、
前記送信手段は、前記操作の内容も送信することを特徴とするデータ放送視聴情報測定装置。
【請求項５】
請求項１乃至４の何れか１項に記載のデータ放送視聴情報測定装置と、
視聴率集計装置とを備え、
前記視聴率集計装置は、
前記データ放送視聴情報測定装置から少なくとも前記ファイルの識別情報、前記ストリームの識別情報、前記チャンネルの識別情報及び前記日時を受信する受信手段と、
前記受信手段が受信した少なくとも前記ファイルの識別情報、前記ストリームの識別情報、前記チャンネルの識別情報及び前記日時を基に、各ファイルの視聴時間を算出する視聴時間算出手段と、
を備えることを特徴とするデータ放送視聴情報測定システム。
【請求項６】
請求項１乃至４の何れか１項に記載の複数のデータ放送視聴情報測定装置と、
視聴率集計装置とを備え、
前記視聴率集計装置は、
前記複数のデータ放送視聴情報測定装置から少なくとも前記ファイルの識別情報、前記ストリームの識別情報、前記チャンネルの識別情報及び前記日時を受信する受信手段と、
前記受信手段が受信した少なくとも前記ファイルの識別情報、前記ストリームの識別情報、前記チャンネルの識別情報及び前記日時並びに複数の視聴者の属性情報を基に、視聴者の属性毎の視聴率を算出する視聴率算出手段と、
を備えることを特徴とするデータ放送視聴情報測定システム。
【請求項７】
請求項６に記載のデータ放送視聴情報測定システムにおいて、
前記視聴率算出手段は、イベント情報テーブルの情報も基にして、視聴者の属性毎、番組の属性毎の視聴率を算出することを特徴とするデータ放送視聴情報測定システム。
【請求項８】
請求項４に記載の複数のデータ放送視聴情報測定装置と、
操作性測定装置とを備え、
前記操作性測定装置は、
前記複数のデータ放送視聴情報測定装置から前記ファイルの識別情報、前記ストリームの識別情報、前記チャンネルの識別情報、前記日時及び前記操作内容を受信する受信手段と、
前記受信手段が受信した前記ファイルの識別情報、前記ストリームの識別情報、前記チャンネルの識別情報、前記日時及び前記操作内容を基に、データ放送受信機の操作性を測定する操作性測定手段と、
を備えることを特徴とするデータ放送操作性測定システム。
【請求項９】
請求項８に記載のデータ放送操作性測定システムにおいて、
前記操作性測定手段は、視聴者の属性も基にし、視聴者の属性毎のデータ放送受信機の操作性を測定することを特徴とするデータ放送操作性測定システム。
【請求項１０】
請求項４に記載の複数のデータ放送視聴情報測定装置と、
視聴率測定装置とを備え、
データ放送において操作内容とコンテンツを対応付け、
前記視聴率集計装置は、
前記複数のデータ放送視聴情報測定装置から前記チャンネルの識別情報、前記日時及び前記操作内容を受信する受信手段と、
前記受信手段が受信した前記チャンネルの識別情報、前記日時及び前記操作内容を基に、集計対象のチャンネル、集計対象の時間帯における各コンテンツの視聴率を算出する視聴率算出手段と、
を備えることを特徴とするデータ放送視聴情報測定システム。
【請求項１１】
視聴者に視聴されているコンテンツのファイルの識別情報、そのファイルが属するストリームの識別情報、そのストリームが属するチャンネルの識別情報及びそのコンテンツが視聴されている日時を少なくとも検出する視聴情報検出ステップと、
検出された前記ファイルの識別情報、前記ストリームの識別情報、前記チャンネルの識別情報及び前記日時を少なくとも送信する送信ステップと、
を有することを特徴とするデータ放送視聴情報測定方法。
【請求項１２】
請求項１１に記載のデータ放送視聴情報測定方法において、
前記視聴情報検出ステップでは、更に番組名及び番組のジャンルも検出し、
前記送信ステップでは、検出された前記番組名及び番組のジャンルも送信することを特徴とするデータ放送視聴情報測定方法。
【請求項１３】
請求項１１に記載のデータ放送視聴情報測定方法において、
前記検出ステップは、定期的に前記検出を行うことを特徴とするデータ放送視聴情報測定方法。
【請求項１４】
請求項１１に記載のデータ放送視聴情報測定方法において、
前記視聴者による操作を検出する操作検出ステップを更に備え、
前記視聴情報検出ステップは、前記操作が検出される度に前記測定を行い、
前記送信ステップは、前記操作の内容も送信することを特徴とするデータ放送視聴情報測定方法。
【請求項１５】
請求項１１乃至１４の何れか１項に記載のデータ放送視聴情報測定方法において、
前記ファイルの識別情報、前記ストリームの識別情報、前記チャンネルの識別情報及び前記日時を基に、各ファイルの視聴時間を算出する視聴時間算出ステップを更に有することを特徴とするデータ放送視聴情報測定方法。
【請求項１６】
請求項１１乃至１４の何れか１項に記載のデータ放送視聴情報測定方法において、
複数の視聴者の前記ファイルの識別情報、前記ストリームの識別情報、前記チャンネルの識別情報及び前記日時並びに複数の視聴者の属性情報を基に、視聴者の属性毎の視聴率を算出する視聴率算出ステップを更に有することを特徴とするデータ放送視聴情報測定方法。
【請求項１７】
請求項１６に記載のデータ放送視聴情報測定方法において、
前記視聴率算出ステップは、イベント情報テーブルの情報も基にして、視聴者の属性毎、番組の属性毎の視聴率を算出することを特徴とするデータ放送視聴情報測定方法。
【請求項１８】
請求項１４に記載のデータ放送視聴情報測定方法において、
複数の視聴者の前記ファイルの識別情報、前記ストリームの識別情報、前記チャンネルの識別情報、前記日時及び前記操作内容を基に、データ放送受信機の操作性を測定する操作性測定ステップを更に有することを特徴とするデータ放送操作性測定方法。
【請求項１９】
請求項１８に記載のデータ放送操作性測定方法において、
前記操作性測定ステップは、視聴者の属性も基にし、視聴者の属性毎のデータ放送受信機の操作性を測定することを特徴とするデータ放送操作性測定方法。
【請求項２０】
請求項１４に記載のデータ放送視聴情報測定方法において、
複数の視聴者の前記チャンネルの識別情報、前記日時及び前記操作内容を基に、集計対象のチャンネル、集計対象の時間帯における各コンテンツの視聴率を算出する視聴率算出ステップを更に有することを特徴とするデータ放送視聴情報測定方法。
【発明の詳細な説明】
【技術分野】
【０００１】
本発明は、データ放送の視聴率を測定するデータ放送視聴情報測定装置及びデータ放送視聴情報測定システム並びにデータ放送視聴情報測定方法に関する。
【背景技術】
【０００２】
従来、テレビの視聴率を取得するには、一般的に以下の方法をとる。１．各家屋のテレビにピープルメータ等の測定器を接続し、テレビの視聴状況を記録する。２．毎日早朝に、記録した視聴データをデータ回線（自動ダイヤル）を利用して視聴率調査業者のコンピューターセンターに転送する。３．転送された視聴データを集計し、視聴率を計算する。これにより、毎分の視聴率が集計でき、番組内で各時間帯の視聴率や、ＣＭ時間での視聴率等が分かる。
【０００３】
ところで、近年、デジタル放送が普及してきている。具体的には、日本では、２０００年にＢＳデジタル放送が実用化され、２００２年にＣＳデジタル放送が実用化されており、２００３年には地上デジタル放送が始まろうとしている。デジタル放送では、番組内にデータコンテンツを含んで放送することができ、各放送局はデータ放送を生かしたサービスを考えるようになる。自局の視聴率を上げるために、ゲームのデータコンテンツや、広告収入を見込むため広告のデータコンテンツを作成することが考えられる。そのため、各放送局は、上記のようなチャンネル毎の視聴率はもちろんのこと、提供するデータコンテンツをどれだけの視聴者に視聴されているかも気になるようになる。
【０００４】
日本においては、デジタル放送におけるデータ放送符号化方式と伝送方式は、ＡＲＩＢ  ＳＴＤ−Ｂ２４に規定されている。ここで、ＡＲＩＢとは、Association of Radio Industries and Businessesの略称である。そして、デジタル放送中のデータ放送においては、コンテンツは、ＢＭＬ(Broadcast Markup Language)で記述される。ＢＭＬは、ＸＭＬの応用言語であり、ＣＳＳ(Cascading Style Sheets)、ＤＯＭ(Document Object Model)、ＥＣＭＡ  Ｓｃｒｉｐｔの規格を取り入れている。なお、米国のデータ放送においては、コンテンツはＸＤＭＬやＯＣＡＰ  ＨＴＭＬ等で記述され、ＥＣのデータ放送においては、コンテンツは、ＤＶＢ−ＨＴＭＬ等で記述される。
【０００５】
デジタル放送には、映像、音声及びデータ等が含まれ、これらはＭＰＥＧ−ＴＳ(Moving Picture Experts Group-Transport Stream)によって伝送される。１つのＭＰＥＧ−ＴＳには、映像ストリーム、複数の音声ストリーム、複数のデータストリーム、字幕ストリーム及び文字スーパーストリーム等が含まれる。各ストリームは、コンポーネントタグにより識別される。また、各データストリームにおいては、複数のＢＭＬファイルが１組となりカルーセル(Carousel)伝送される。
【０００６】
なお、本願発明に関連する従来技術としては以下のものがある。
【特許文献１】特開２００２−２１７８５０号公報
【特許文献２】ＰＣＴ／ＪＰ９７／０４５７６
【発明の開示】
【発明が解決しようとする課題】
【０００７】
特許文献１には、視聴されたコンテンツとそのコンテンツを視聴した視聴者層との対応を取るために、コンテンツの識別情報と視聴者の個人データを対応付けて収集すること、及び、コンテンツが一度蓄積装置に蓄積された後に視聴された場合であっても、視聴されたコンテンツとそのコンテンツを視聴した視聴者層との対応を取るために、放送時間情報が無くてもコンテンツを識別することを可能とさせる識別情報をコンテンツに付加することが記載されている。
【０００８】
しかし、特許文献１の発明は、時間軸上の複数のコンテンツを識別するための識別情報をコンテンツに付加するものの、１つの番組で同時に複数のコンテンツが放送されることを考慮していない。
【０００９】
特許文献２の発明では、視聴した番組とその番組を視聴した日時を番組表と突合わせて番組識別情報を得て、その番組識別情報と視聴者ＩＤとを対応付けて集計するものである。
【００１０】
しかし、特許文献２の発明では、１つの番組で同時に複数のコンテンツが放送される場合に対応することができない。
【００１１】
本発明は、デジタル放送のデータ放送のように、１つのチャンネルに複数のコンテンツが含まれている場合であっても、各コンテンツを視聴している者に関する視聴情報を測定することを可能とするデータ放送視聴情報測定装置及びデータ放送視聴情報測定システム並びにデータ放送視聴情報測定方法を提供することを目的とする。
【課題を解決するための手段】
【００１２】
本発明の第１の観点によれば、視聴者に視聴されているコンテンツのファイルの識別情報、そのファイルが属するストリームの識別情報、そのストリームが属するチャンネルの識別情報及びそのコンテンツが視聴されている日時を少なくとも検出する視聴情報検出手段と、検出された前記ファイルの識別情報、前記ストリームの識別情報、前記チャンネルの識別情報及び前記日時を少なくとも送信する送信手段と、を備えることを特徴とするデータ放送視聴情報測定装置が提供される。
【００１３】
上記の請求項１に記載のデータ放送視聴情報測定装置において、前記視聴情報検出手段は、更に番組名及び番組のジャンルも検出してもよく、前記送信手段は、検出された前記番組名及び番組のジャンルも送信してもよい。上記のデータ放送視聴情報測定装置において、前記検出手段は、定期的に前記検出を行ってもよい。
【００１４】
上記のデータ放送視聴情報測定装置は、前記視聴者による操作を検出する操作検出手段を更に備え、前記視聴情報検出手段は、前記操作が検出される度に前記測定を行い、前記送信手段は、前記操作の内容も送信してもよい。
【００１５】
本発明の第２の観点によれば、上記のデータ放送視聴情報測定装置と、視聴率集計装置とを備え、前記視聴率集計装置は、前記データ放送視聴情報測定装置から少なくとも前記ファイルの識別情報、前記ストリームの識別情報、前記チャンネルの識別情報及び前記日時を受信する受信手段と、前記受信手段が受信した少なくとも前記ファイルの識別情報、前記ストリームの識別情報、前記チャンネルの識別情報及び前記日時を基に、各ファイルの視聴時間を算出する視聴時間算出手段と、を備えることを特徴とするデータ放送視聴情報測定システムが提供される。
【００１６】
本発明の第３の観点によれば、上記の複数のデータ放送視聴情報測定装置と、視聴率集計装置とを備え、前記視聴率集計装置は、前記複数のデータ放送視聴情報測定装置から少なくとも前記ファイルの識別情報、前記ストリームの識別情報、前記チャンネルの識別情報及び前記日時を受信する受信手段と、前記受信手段が受信した少なくとも前記ファイルの識別情報、前記ストリームの識別情報、前記チャンネルの識別情報及び前記日時並びに複数の視聴者の属性情報を基に、視聴者の属性毎の視聴率を算出する視聴率算出手段と、を備えることを特徴とするデータ放送視聴情報測定システムが提供される。
【００１７】
本発明の第３の観点によるデータ放送視聴情報測定システムにおいて、前記視聴率算出手段は、イベント情報テーブルの情報も基にして、視聴者の属性毎、番組の属性毎の視聴率を算出してもよい。
【００１８】
本発明の第４の観点によれば、上記の複数のデータ放送視聴情報測定装置と、操作性測定装置とを備え、前記操作性測定装置は、前記複数のデータ放送視聴情報測定装置から前記ファイルの識別情報、前記ストリームの識別情報、前記チャンネルの識別情報、前記日時及び前記操作内容を受信する受信手段と、前記受信手段が受信した前記ファイルの識別情報、前記ストリームの識別情報、前記チャンネルの識別情報、前記日時及び前記操作内容を基に、データ放送受信機の操作性を測定する操作性測定手段と、を備えることを特徴とするデータ放送操作性測定システムが提供される。
【００１９】
本発明の第４の観点によるデータ放送操作性測定システムにおいて、前記操作性測定手段は、視聴者の属性も基にし、視聴者の属性毎のデータ放送受信機の操作性を測定してもよい。
【００２０】
本発明の第５の観点によれば、上記の複数のデータ放送視聴情報測定装置と、視聴率測定装置とを備え、前記視聴率集計装置は、前記複数のデータ放送視聴情報測定装置から前記チャンネルの識別情報、前記日時及び前記操作内容を受信する受信手段と、前記受信手段が受信した前記チャンネルの識別情報、前記日時及び前記操作内容を基に、集計対象のチャンネル、集計対象の時間帯における各コンテンツの視聴率を算出する視聴率算出手段と、を備えることを特徴とするデータ放送視聴情報測定システムが提供される。
【発明の効果】
【００２１】
本発明によれば、視聴者に視聴されているコンテンツのファイルの識別情報、そのファイルが属するストリーム及びそのストリームが属するチャンネルを検出するので、チャンネルに複数のコンテンツが含まれている場合であっても、コンテンツ毎の視聴率を求めることができる。
【００２２】
また、本発明によれば、番組名及び番組のジャンルも検出するので、これらより視聴者の嗜好を知ることもできる。
【００２３】
また、本発明によれば、定期的に視聴者に視聴されているコンテンツのファイルの識別情報、そのファイルが属するストリーム、そのストリームが属するチャンネルを検出して、それを送信するので、各日時毎の視聴率を容易に算出することができる。
【００２４】
更に、本発明によれば、視聴者による操作が検出される度に、視聴者に視聴されているコンテンツのファイルの識別情報、そのファイルが属するストリーム、そのストリームが属するチャンネルを検出するので、コンテンツ毎の正確な視聴時間を得ることができる。
【００２５】
更に、本発明によれば、視聴者に視聴されているコンテンツのファイルの識別情報、そのファイルが属するストリーム、そのストリームが属するチャンネルを検出し、検出されたコンテンツのファイルの識別情報、そのファイルが属するストリーム、そのストリームが属するチャンネル及びコンテンツが視聴されている日時を基に視聴率を算出するので、チャンネルに複数のコンテンツが含まれている場合であっても、コンテンツ毎の視聴率を求めることができる。
【００２６】
更に、本発明によれば、更に視聴者の属性情報を基にして視聴者の属性毎の視聴率を算出するので、視聴者の属性を考慮して番組構成、広告方法等を企画することができる。
【００２７】
更に、本発明によれば、イベント情報テーブルの情報も基にして視聴者の属性毎、番組の属性毎の視聴率を算出するので、番組の属性を考慮して番組構成、広告方法等を企画することができる。
【００２８】
更に、本発明によれば、コンテンツのファイルの識別情報、そのファイルが属するストリームの識別情報、そのストリームが属するチャンネルの識別情報、コンテンツが視聴されている日時及び視聴者による操作内容を基に、データ放送受信機の操作性を測定するので、データ放送のメニュー構成等を改善することに役立てることができる。
【００２９】
更に、本発明によれば、コンテンツのファイルの識別情報、そのファイルが属するストリームの識別情報、そのストリームが属するチャンネルの識別情報、コンテンツが視聴されている日時、視聴者による操作内容及び視聴者の属性を基に、データ放送受信機の操作性を測定するので、視聴者の属性を考慮してデータ放送のメニュー構成等を改善することに役立てることができる。
【００３０】
更に、本発明によれば、データ放送において操作内容とコンテンツを対応付け、チャンネルの識別情報、コンテンツを視聴している日時及び操作内容を基に、集計対象のチャンネル、集計対象の時間帯における各コンテンツの視聴率を算出するので、簡便に視聴率を算出することができる。
【発明を実施するための最良の形態】
【００３１】
本発明は、従来のテレビの視聴状況情報（視聴開始時間、視聴チャンネル等）に加え、データコンテンツの視聴状況情報（視聴しているデータ放送のＢＭＬファイル名、そのＢＭＬファイルが属するストリームの識別情報、そのストリームが属するチャンネル、表示されたそのＢＭＬファイル上で押されたボタン等）を記録し、インターネット経由で視聴率調査業者の視聴率集計装置に送信することで、データコンテンツの各ＢＭＬファイルの視聴状況やそのＢＭＬファイル内でどのような操作で視聴されているかをわかるようにする。
【００３２】
本発明の実施形態によるデータ放送視聴情報測定システムを含む地上デジタル放送システムの全体図を図１に示す。放送局１は、放送所（東京タワー等）２よりデジタル放送を送信する。各家屋３のデジタル放送受信機５は、地上デジタル放送を受信し、スピーカ付モニタ４は、デジタル放送受信機５が受信した映像、データを表示し、デジタル放送受信機５が受信した音声を鳴らす。また、デジタル放送受信機５は、データ放送視聴情報測定装置を含み、視聴データ（視聴開始時間、視聴チャンネル、視聴しているＢＭＬファイル名、そのＢＭＬファイルの属するストリームのコンポーネントタグ値、表示されたそのＢＭＬファイル上で押されたボタン等）の測定と記録をし、インターネット６により接続された視聴率集計装置７へ転送する。
【００３３】
視聴率集計装置７は、視聴データを集計し、集計により得られた視聴率やデータ放送の視聴状況を放送局１に送信する。なお、デジタル放送受信機５から視聴データを直接インターネット６を介して放送局１に転送してもよい。この場合には、放送局１に視聴率集計装置７を設置することとなる。
【００３４】
次に、本実施形態によるデジタル放送受信機５等の構成を図２を参照して説明する。
【００３５】
図２を参照すると、デジタル放送受信機５は、デジタル放送受信部２１、データ放送解析部２２、番組情報解析部２３、番組情報記憶部２４、入力部２５、視聴状況情報取得部２６、視聴状況記憶部２７及び送信部２８を備える。
【００３６】
デジタル放送受信部２１は、放送局１から送信されたデジタル放送の電波を受信し、復調し、ベースバンドの映像及び音声をスピーカ付モニタ４に出力する。また、入力部２５からチャンネル切り替えの要求が来た場合は、指定されたチャンネルのデジタル放送を受信する。
【００３７】
データ放送解析部２２は、入力部２５が視聴者２９から入力したキー操作に従って、デジタル放送受信部２１が受信したデジタル放送のデータ放送のうちのどのＢＭＬファイルを表示するか、または表示しないかを解析し、表示するＢＭＬファイルに従って画面を構成し、構成した画面をスピーカ付モニタ４へ出力する。
【００３８】
また、データ放送解析部２２は、入力部２５よりデータ放送関連のコマンドの要求が来た場合は、ＢＭＬファイル内のコマンドに応じた動作を行う。さらに、ＢＭＬファイル内でＢＭＬファイルの表示が時間で切り替わるようになっている場合はそれに従う。
【００３９】
番組情報解析部２３は、デジタル放送受信部２１が受信したＳＩ(Service Information)の一種であるＥＩＴ(Event Information Table:イベント情報テーブル)を解析し、番組情報（番組開始時間、番組終了時間、番組名、ジャンル等）を取得する。また、視聴している番組が変わった場合には、視聴状況情報取得部２６へ番組が更新されたことを伝える。
【００４０】
番組情報記憶部２４は、番組情報解析部２３が取得した番組情報を記憶する。
【００４１】
入力部２５は、スピーカ付モニタ４が出力する音声画像を視聴している視聴者２９がリモートコントローラ（図３に示す。）等に入力したコマンドを認識し、解析する。入力されたコマンドがチャンネル切り替え（ワンタッチ選局、アップダウン選局、ダイレクト選局）の場合は、デジタル放送受信部２１に、視聴者２９が指定したチャンネルのデジタル放送を受信するよう要求する。また、データ放送関連のコマンド（ｄボタン３１、カラーボタン（赤ボタン３２、青ボタン３３、緑ボタン３４、黄ボタン３５）、上ボタン３６、下ボタン３７、左ボタン３８、右ボタン３９、決定ボタン４０、戻るボタン４１等（図３参照））であれば、データ放送解析部２２へ入力されたコマンドを伝える。同時に、視聴状況取得部２６にもチャンネル切り替えコマンド、データ放送開連コマンドを伝える。
【００４２】
視聴状況情報取得部２６は、視聴者２９による入力（入力部２５から取得）、番組更新（番組情報解析部２３から取得）、表示しているＢＭＬファイルの更新（データ放送解析部２２から取得）の際に、番組記憶部２４から現在視聴している番組名、ジャンルを取得し、データ放送解析部２２から現在表示しているＢＭＬファイルの名称、そのＢＭＬファイルが属するストリームのコンポーネントタグ値を取得し、視聴者２９により入力されたコマンドを入力部２５から取得する。その後、現在の日時、視聴しているチャンネルと合わせて、これらの視聴データ（現在の日時、視聴チャンネル、番組名、ジャンル名、ＢＭＬファイル名、コンポーネントタグ値、コマンド）を視聴状況記憶部２７へ記憶する。
【００４３】
視聴状況記憶部２７は、上記の通り、現在の日時、視聴チャンネル、番組名、ジャンル名、ＢＭＬファイル名、コンポーネントタグ値、コマンドを記憶し、記憶データがあることを送信部２８へ通知する。
【００４４】
送信部２８は、所定のタイミングで、視聴状況記憶部２７に記憶されている視聴データを視聴率集計装置７ヘインターネット６を経由して送信する。送信後は、送信した視聴データを視聴状況記憶部２７から削除する。
【００４５】
本発明は、家屋に設置したデジタル放送受信機に限らず、移動受信機、携帯受信機にも応用することができる。携帯受信機の場合には個人が特定できるため、視聴者の属性毎の視聴状況の精度が増す。
【００４６】
視聴データは取得できたならば、リアルタイム送信しても良く、或いは、視聴データを毎日の所定の時間帯にまとめて送信してもよい。所定の時間帯に送信する場合には、地域毎に送信の時間をずらしてもよい。こうすれば、視聴率集計装置７へのアクセスの集中を緩和することができる。
【００４７】
なお、本発明は地上デジタル放送のみに適用されるのではなく、データ放送を含むＢＳデジタル放送や１１０度ＣＳデジタル放送にも適用することができる。更には、本発明は、データ放送が含まれるいかなるデジタル放送にも適用することができる。
【実施例１】
【００４８】
実施例１で取得する視聴データは図４に示すようなものである。
【００４９】
実施例１においては、視聴データを１分毎に記録する。視聴者がテレビの電源を投入し、テレビを視聴すると、「視聴日」、「視聴時間」、「チャンネル」、「番組名」、「ジャンル」、「ＢＭＬファイル名」、「コンポーネントタグ値」の視聴データを取得し、ログとして記録する。「視聴日」は、テレビを視聴している日付けである。「視聴時間」は、テレビを視聴している時間である。「チャンネル」は、現在視聴しているチャンネルである。「番組名」は、現在視聴している番組名（データ放送のＥＩＴより取得する。）である。「ジャンル」は、視聴している番組のジャンル（データ放送のＥＩＴより取得する。）である。「ＢＭＬファイル名」は、データ放送で表示されているＢＭＬファイルのファイル名である。「コンポーネントタグ値」は、データ放送で表示されているＢＭＬファイルが存在するデータＥＳ(Elementary Stream)のコンポーネントタグ値である。
【００５０】
次に、具体的な動作を説明する。なお、記録は分毎（００秒の時）に行うこととして説明する。但し、毎秒毎、数秒毎又は数十秒毎に行っても良い。
【００５１】
まず、視聴者が９：５７にテレビの電源を投入し、ＸＸ２ｃｈの「天気予報」を視聴したとする。９：５８になった時点で現在視聴しているチャンネル、番組名、ジャンル、ＢＭＬファイル名、コンポーネントタグ値を視聴日および視聴時間と共に記録する。この時、データ放送はまだ表示されていないものとする。この場合は、ＢＭＬファイル名とコンポーネントタグ値は空欄となる（１０１）。
【００５２】
その後、データ放送を受信し、コンポーネントタグ値が０ｘ４０のデータＥＳにあるｓｔａｒｔｕｐ．ｂｍｌが表示されたとする。９：５９になった時点での現在視聴しているチャンネル、番組名、ジャンル、ＢＭＬファイル名、コンポーネントタグ値を視聴日および視聴時間と共に記録する。コンポーネントタグ値が０ｘ４０のデータＥＳにあるｓｔａｒｔｕｐ．ｂｍｌが表示されているため、ＢＭＬファイル名にはｓｔａｒｔｕｐ．ｂｍｌ、コンポーネントタグ値には０ｘ４０を記録する（１０２）。
【００５３】
その後、ＸＸｌｃｈにチャンネルを切り替えると、「ニュース」という番組が放送されていたとする。また、データ放送を受信し、コンポーネントタグ値０ｘ４０のデータＥＳにあるｓｔａｒｔｕｐ．ｂｍｌが表示されたとする。１０：００になった時点で現在の視聴しているチャンネル、番組名、ジャンル、ＢＭＬファイル名、コンポーネントタグ値を視聴日および視聴時間と共に記録する（１０３）。
【００５４】
その後、データ放送を操作し、コンポーネントタグ値が０ｘ４１のデータＥＳにあるｎｅｗｓ．ｂｍｌを表示したとする。１０：０１になった時点で同様に視聴データを記録する（１０４）。
【００５５】
その後、１０：０５までコンポーネントタグ値が０ｘ４１のデータＥＳにあるｎｅｗｓ．ｂｍｌを視聴していたとする。１０：０２から分毎に同様な視聴データを記録する（１０５〜１０８）。
【００５６】
その後、「戻る」ボタン等を押して、コンポーネントタグ値０ｘ４０のデータＥＳにあるｓｔａｒｔｕｐ．ｂｍｌに戻ったとする。１０：０６に同様に視聴データを記録する（１０９）。
【００５７】
次に、これらの視聴データを集計方法について記載する。これらの視聴データは、分毎に記録した後、インターネット経由で視聴率集計装置７へ送信する。これにより、視聴率集計装置７はタイムリーに視聴率およびデータ放送コンテンツ（ＢＭＬファイル名）の視聴状況を集計することができる。なお、タイムリーな視聴情報が必要ない場合は、１日１回、時間を決めて視聴率集計装置７へ送信してもよい。また、視聴データは放送局へ直接送信してもよい。この場合は、放送局はタイムリーに視聴者の視聴動向を確認でき、即座に次の番組に対応することが可能となる。
【実施例２】
【００５８】
実施例２で取得する視聴データは図５に示すようなものである。
【００５９】
実施例２においては、視聴者がデータ放送に対してどのような操作を行ったかを調査できるようにする。
【００６０】
本実施例は、実施例１の視聴データに加え、「コマンド」という項目をログとして記録する。「コマンド」は、視聴者がリモートコントローラに対して操作した内容である。例えば、テレビの電源をＯＮにした場合は「テレビ電源ＯＮ」、チャンネルを切り替えた場合は、「チャンネル切り替え」、データ放送を受信した場合は「データ放送受信」、データ放送の決定ボタンを押下した場合は「決定ボタン押下」等である。
【００６１】
次に、具体的な動作につき記載する。なお、実施例１では、検出及び記録を分毎に行うのに対し、本実施例では、検出及び記録をコマンド毎に行う。
【００６２】
まず、視聴者が９：５７：０１にテレビの電源を投入し、ＸＸ２ｃｈの「天気予報」を視聴したとする。この「テレビ電源ＯＮ」のコマンドにより、コマンド、チャンネル、番組名、ジャンル、ＢＭＬファイル名、コンポーネントタグ値、コマンドを視聴日および視聴時間と共に記録する。この時、コマンドには、「テレビ電源ＯＮ」と記録する（２０１）。
【００６３】
９：５８：０３に、データ放送を受信し、コンポーネントタグ値が０ｘ４０のデータＥＳにあるｓｔａｒｔｕｐ．ｂｍｌが表示されたとする。この「データ放送受信」のコマンドにより、コマンド、チャンネル、番組名、ジャンル、ＢＭＬファイル名、コンポーネントタグ値、コマンドを視聴日および視聴時間と共に記録する。コマンドには、「データ放送受信」を記録する（２０２）。
【００６４】
９：５９：１２に、ＸＸｌｃｈにチャンネルを切り替えると、「ニュース」という番組が放送されていたとする。この「チャンネル切り替え」のコマンドにより、コマンド、チャンネル、番組名、ジャンル、ＢＭＬファイル名、コンポーネントタグ値を視聴日および視聴時間と共に記録する。コマンドには、「チャンネル切り替え」を記録する（２０３）。
【００６５】
その後、データ放送を受信し、コンポーネントタグ値０ｘ４０のデータＥＳにあるｓｔａｒｔｕｐ．ｂｍｌが表示されたとする。この「データ放送受信」のコマンドにより、同様に視聴データを記録する（２０４）。
【００６６】
１０：００：０２に、表示されているｓｔａｒｔｕｐ．ｂｍｌで下ボタンを押下したとする。この「下ボタン押下」のコマンドにより、同様に視聴データを記録する。コマンドには「下ボタン押下」と記録する（２０５）。
【００６７】
その後、視聴者がコマンドを起こす度（ここでは下ボタンを２回押下）、同様に視聴データを記録する。２０６、２０７）。
【００６８】
その後、決定ボタンを押下し、データ放送の画面にコンポーネントタグ値が０ｘ４１のデータＥＳにあるｎｅｗｓ．ｂｍｌが表示されたとする。このコマンドにより、同様に視聴データを記録する。コマンドには「決定ボタン押下」を記録する（２０８）。
【００６９】
その後、右ボタン押下や、戻るボタン押下により、コンポーネントタグ値０ｘ４０のデータＥＳにあるｓｔａｒｔｕｐ．ｂｍｌに戻ったとする。コマンド毎に同様に視聴データを記録する（２０９、２１０）。
【００７０】
この視聴データを集計することで、視聴者がどのようなぺージをどれだけの時間見ているのかや、データ放送のぺージをどのような操作で見ているのか等が分かる。さらに目的のぺージにたどり着くまでどれくらいの数の操作を行いどれくらいの時間がかかっているかも分析することができる。また、よく見られる人気のぺージはすぐにアクセスしやすいように上位に持っていったり、カラーボタンを割り付けて一発で表示できるようにしたり、視聴者による操作を考えたデータ放送コンテンツを作成することに役立てることができる。なお、コマンドの間隔が大きい時はコマンド毎の記録に加え、定期的（例えば分毎）な記録を行ってもよい。記録の度に、インターネット経由で視聴率集計装置７へ送信すれば、視聴率集計装置７はタイムリーに視聴率およびデータ放送コンテンツ（ＢＭＬファイル名）の視聴状況を集計することができる。また、視聴データはそのデータコンテンツを作成しているコンテンツ業者へ直接送信してもよい。その場合は、コンテンツ業者は即座にデータコンテンツのユーザビリティの改良等の対応が可能となる。
【実施例３】
【００７１】
実施例３で取得する視聴データは図６に示すようなものである。
【００７２】
実施例３においては、データ放送内に広告を入れた際に視聴者がそれを意図的に見ているのかを確認できるようにする。
【００７３】
本実施例で記録する視聴データの項目は実施例２と同様である。また、記録するタイミングは実施例２同様、コマンド毎である。番組中に「ｄボタン」を押下することにより広告のぺージを表示するデータコンテンツがあるとする。
【００７４】
具体的には、テレビ電源ＯＮ時、またはチャンネル切り替え時に最初に表示するｓｔａｒｔｕｐ．ｂｍｌが透明のぺージで、かつ半透明な文字で「ｄボタンを押下するとスポンサーのデータ放送が表示されます。」のような文字が表示されるものとする（番組映像上に半透明な文字で「ｄボタンを押下するとスポンサーのデータ放送が表示されます。」が表示される）。
【００７５】
次に、具体的な動作につき記載する。視聴者が以下のような操作をした場合に取得する視聴データを図３に示す。
【００７６】
まず、視聴者がテレビの電源を投入し、ＸＸｌｃｈの「ニュース」を視聴したとする。この「テレビ電源ＯＮ」のコマンドにより、コマンド、チャンネル、番組名、ジャンルを視聴日および視聴時間と共に記録する（３０１）。
【００７７】
その後、データ放送を受信し、コンポーネントタグ値が０ｘ４０のデータＥＳにある透明なｓｔａｒｔｕｐ．ｂｍｌが表示されたとする。この「データ放送受信」のコマンドにより、コマンド、チャンネル、番組名、ジャンル、ＢＭＬファイル名、コンポーネントタグ値を視聴日および視聴時間と共に記録する（３０２）。
【００７８】
ここで、映像上に「ｄボタンを押下するとスポンサーのデータ放送が表示されます。」という文字が半透明で表示される。視聴者は自分の意思により、広告のぺージを見るか見ないかを選択できる。ここでは、ｄボタンを押下して広告のぺージ（コンポーネントタグ値０ｘ６０のデータＥＳにあるｃｍ０１．ｂｍｌ）を見たとする。この「ｄボタン押下」のコマンドにより、同様に視聴データを記録する。コマンドには、「ｄボタン押下」と記録する（３０３）。
【００７９】
次に、広告のぺージは視聴者の嗜好に合わず、すぐに戻るボタンを押下したとする。この「戻るボタン押下」のコマンドにより、視聴データを記録する。コマンドには、「戻るボタン押下」と記録する（３０４）。
【００８０】
ここでは、「ｄボタン押下」から「戻るボタン押下」までの間隔が狭いことから広告のぺージをあまり見ていなく、視聴者の興味に合わなかったことが分析できる。
【００８１】
次に、チャンネルをＸＸ２ｃｈに切り替え、「プロ野球」を視聴したとする。この「チャンネル切り替え」のコマンドにより、同様に視聴データを記録する（３０５）。
【００８２】
その後、データ放送を受信したとする。この「データ放送受信」のコマンドにより、同様に視聴データを記録する（３０６）。
【００８３】
ここで、表示しているｓｔａｒｔｕｐ．ｂｍｌもＸＸｌｃｈ同様、映像上に「ｄボタンを押下するとスポンサーのデータ放送が表示されます。」という文字が半透明で表示される。
【００８４】
同様にｄボタンを押下し、広告のぺージ（コンポーネントタグ値０ｘ６０のデータＥＳにあるｃｍ１１．ｂｍｌ）を見たとする。この「ｄボタン押下」のコマンドにより、同様に視聴データを記録する。（３０７）。
【００８５】
この広告のぺージは視聴者の嗜好にあったため、広告の次のぺージ（コンポーネントタグ値０ｘ６０のデータＥＳにあるｃｍ１２．ｂｍｌ）を見るため、決定ボタンを押下したとする。この「決定ボタン押下」のコマンドにより、同様に視聴データを記録する（３０８）。
【００８６】
その後、広告のぺージを４分ほど見て、戻るボタンを押下したとする。この「戻るボタン押下」のコマンドにより、同様に視聴データが記録される（３０９）。
【００８７】
ここでは、「ｄボタン押下」から「戻るボタン押下」までの間隔が長く、かつ広告の次のぺージまで視聴していることから視聴者の興味と合致していることが分かる。これらの視聴データを分析することで、広告が意図的に見られたものか、またどのくらいの時間見られていたかを判断することができる。この分析結果により、広告主も自社の広告を見てもらえる時間帯や番組が分かるので、有効な広告戦略を展開することが可能になる。また、視聴データは広告主に直接送信してもよい。その場合、広告主はタイムリーに広告の視聴動向を確認でき、次回も同じ番組に広告を放送するかの判断が即座に行えるようになる。
【００８８】
なお、上記の実施例３の説明においては、コマンドの度にチャンネル、ＢＭＬファイル名、コンポーネントタグ値等の測定をするとした。こうすることにより、あるコマンドからその次のコマンドまでの時間の長短にかかわらずその時間を正確に測定することができる。しかし、実施例１のように定期的にチャンネル、ＢＭＬファイル名、コンポーネントタグ値等の測定をすることとしても、その測定の周期が短ければ、あるコマンドからその次のコマンドまでの時間の長短にかかわらずその時間を正確に測定することができる。
【実施例４】
【００８９】
実施例４で取得する視聴データは図７に示すようなものである。
【００９０】
実施例４においては、性別、年齢別、地域別にどのような番組に興味があるか、どのようなデータ放送に興味があるかを調査できるようにする。
【００９１】
視聴している視聴者がどのような人物かを分類するため、図７のように性別、年齢、既婚／独身等の視聴者属性情報を視聴データに付加する。図７の例では、男性／３０歳／独身／東京都の者と、女性／３２歳／既婚／神奈川県の者と、男性／１８歳／独身／神奈川県の者の視聴データが視聴者属性情報と共に記録されている。視聴者属性情報は、各家屋に置かれている視聴率調査装置に記録しておいてもよいし、前もって視聴率集計装置のデータベースに記録しておいて、後に、視聴率集計装置において視聴データと結合するようにしてもよい。後者の場合には、視聴率測定装置は、視聴者の視聴者特定情報を予め入力及び保持をしておき、視聴率集計装置に視聴データを送信する際に、視聴者特定情報も送信し、視聴率集計装置でも視聴者属性情報と視聴者特定情報とを対応付けてデータベースに記録しておき、各視聴者の視聴データと視聴者属性情報を視聴者特定情報により結合できるようにする。
【００９２】
ここでは、男性／３０歳／独身／東京都の者は、１０：００：０８にテレビの電源を投入し、ＸＸｌｃｈのニュースを視聴し、１０：０５：３６にｄボタンを押下してｎｅｗｓ．ｂｍｌのぺージを見た後、１０：１０：５８に戻るボタンを押下してニュースの番組に戻ったことが分かる（４０１〜４０４）。
【００９３】
また、女性／３２歳／既婚／神奈川県の者は、１０：００：１７にテレビの電源をＯＮにし、ＸＸ２ｃｈのドラマを視聴し、１０：１５：２７にｄボタンを押下してｃｍ０１．ｂｍｌのぺージを見た後、１０：１６：３８に戻るボタンを押下してドラマの番組に戻ったことが分かる（４１１〜４１４）。
【００９４】
男性／１８歳／独身／神奈川県の者は、１０：００：０８にテレビの電源をＯＮにし、すぐにＸＸ３ｃｈにチャンネルを切り替えて、サッカー中継を視聴していることが分かる（４２１〜４２４）。
【００９５】
これらの視聴データを視聴率集計装置において性別、年齢別、既婚／独身、地域別に集計することで性別、年齢別、既婚／独身、地域別の視聴データを得ることができる。つまり、この年齢層はこの時間帯、この番組を見ているとか、既婚者はこの時間帯はテレビを見ていないとか、男性はデータ放送のぺージをよく見るとか、女性はこのジャンルの番組をよく見る傾向にある等の情報もこの視聴データを分析することで得られる。これにより、ターゲット視聴者のある商品は、そのターゲット視聴者がよく見る番組、時間帯に広告を放送することで広告効果をあげることができる。また、これらの視聴データはインターネットで即座に収集、分析できるため、本日放送した番組よりも他の番組の方が広告効果があると判断された場合は即座に広告を放送する番組を入れ替えるといったこともできる。
【００９６】
また、視聴データの項目に出演者の項目を追加してもよい。出演者の情報は、ＥＩＴより取得することができる。これにより、どの年齢層の者がどのような出演者に興味があるかということも視聴データを分析することで判断できる。また、視聴率集計装置は、ＥＰＧから番組タイトル等の他の情報を抽出して、例えば、特定のタイトル又は特定のジャンルにおける特定の種類のデータ放送コンテンツの視聴率を視聴者属性情報の値毎に集計することもできる。
【実施例５】
【００９７】
実施例５で取得する視聴データは図８に示すようなものである。
【００９８】
実施例５においては、障害者がどのようにデータ放送のコンテンツを使用しているか調査できるようにする。
【００９９】
視聴者がどのような障害者であるかが分かるように、図５のようにパーソナルデータとして障害者の状態の情報を付加する。ここでは、色覚異常の視聴者を例とする。また、同様な作業を障害者でない視聴者が行った場合の視聴データも説明する。なお、視聴データはコマンド毎に記録する。
【０１００】
図５の視聴データから色覚異常の視聴者が行った動作が読み取れる。動作につき具体的に記載する。
【０１０１】
色覚異常の視聴者は、１０：００：０１にテレビの電源を投入し、データ放送を受信した後に、下ボタンや右ボタン等を押下し、目的のスポーツのぺージ（コンポーネントタグ値が０ｘ６０のデータＥＳのｓｐｏｒｔｓ．ｂｍｌ）を表示している（５０１〜５１０）。
【０１０２】
ここで、ｓｐｏｒｔｓ．ｂｍｌが赤ボタンに割り当てられていたとする。色覚異常の視聴者は赤ボタンに割り当てられているのか分からなかったため、上記のよう動作を行うことで目的のスポーツのぺージにたどりつく。
【０１０３】
色覚異常でない視聴者の場合は、１０：００：５６にテレビの電源をＯＮにし、データ放送を受信した後に、赤ボタンを押下することで、目的のスポーツのぺージを表示することができる（５１１〜５１３）。
【０１０４】
この視聴データから、このデータ放送のコンテンツが色覚異常の視聴者を考慮していないものと判断できる。この結果から、どのようにすれば色覚異常の視聴者にも使いやすいコンテンツを作ることができるかの判断材料になる。
【０１０５】
なお、障害者であるか否かは、実施例４における視聴者属性情報の一種であり、実施例４と同様に処理される。
【実施例６】
【０１０６】
実施例６で取得する視聴データは図９に示すようなものである。
【０１０７】
実施例６においては、少なくとも所定のチャンネルの所定の時間帯において、データ放送のコンテンツ内に、カラーボタンに特定のぺージを割り当てることにより、視聴データの集計を行う。
【０１０８】
データ放送のコンテンツ内で、カラーボタンにそれぞれ特定の種別のコンテンツを割り当てたとする。例えば、赤ボタンには、「最新ニュース」のぺージを、青ボタンには「スポーツ情報」のぺージを、緑ボタンには「天気予報」のぺージを、黄色ボタンには「マネー情報」のぺージを割り当てる。この場合、全てのぺージでカラーボタンを押下した動作が同じとする。つまり、ｓｔａｒｔｕｐ．ｂｍｌのページには、赤ボタン、青ボタン、緑ボタン、黄色ボタンが表示され、「最新ニュース」のページには、青ボタン、緑ボタン、黄色ボタンが表示され、「スポーツ情報」のページには、赤ボタン、緑ボタン、黄色ボタンが表示され、「天気予報」のページには、赤ボタン、青ボタン、黄色ボタンが表示され、「マネー情報」のページには、赤ボタン、青ボタン、緑ボタンが表示される。そして、どのページの赤ボタンを押しても、「最新ニュース」のページが表示され、どのページの青ボタンを押しても、「スポーツ情報」のページが表示され、どのページの緑ボタンを押しても、「天気予報」のページが表示され、どのページの黄色ボタンを押しても、「マネー情報」が表示される。
【０１０９】
本実施例では、カラーボタンのコマンド（「赤ボタン押下」、「青ボタン押下」、「緑ボタン押下」、「黄色ボタン押下」）に注目する。なお、視聴データはコマンド毎に記録する。
【０１１０】
次に、具体的な動作を説明する。
【０１１１】
まず、テレビの電源を投入した際に視聴データを記録する（６０１）。その後、データ放送を受信すると同様に視聴データを記録する（６０２）。その後、カラーボタン（赤ボタン、青ボタン、緑ボタン、黄色ボタン）を押下する度に、同様に視聴データを記録する（６０３〜６０８）。ここでは、赤ボタンが３回、青ボタンが１回、緑ボタンが１回、黄色ボタンが１回押下されている。つまり、「最新ニュース」のぺージが３回、「スポーツ情報」のぺージが１回、「天気予報」のぺージが１回、「マネー情報」のぺージが１回表示されていることが分かる。このように、この視聴データのコマンドから、赤ボタン、青ボタン、緑ボタン、黄色ボタンの押下の数をカウントすると、どのぺージが何回見られているかが分かるので、集計が容易になる。また、視聴時間からどのぺージがどれくらいの時間見られているかも分かる。
【０１１２】
地上デジタルテレビジョン放送では、データ放送のリンク先がＢＭＬファイルだけでなく、インターネット経由でホームページ（ＨＴＭＬファイル）ヘリンクすることもある。
【０１１３】
上記の何れの実施例を用いても、リンク先がＢＭＬファイルである場合ばかりでなく、インターネット経由のホームページを参照した場合であっても、ＵＲＬをみることにより同様な方法でどのぺージにどれだけアクセスしたかが分かる。
【０１１４】
また、赤ボタンは放送局のホームページを表示、青ボタンはスポンサーのホームぺージを表示等、あらかじめ決めておくことでデータ放送のコンテンツからの各カラーボタンの押下の回数で、各ホームページヘのアクセス回数が分かる。
【産業上の利用可能性】
【０１１５】
本発明は、データ放送の視聴率の測定に利用することができる。
【図面の簡単な説明】
【０１１６】
【図１】本発明の実施形態によるデータ放送視聴情報測定システムを含む地上デジタル放送システムの全体図である。
【図２】本発明の実施形態によるデジタル放送受信機の構成を示すブロック図である。
【図３】本発明の実施形態によるリモートコントローラの外観を示す平面図である。
【図４】実施例１で取得する視聴データを示す図である。
【図５】実施例２で取得する視聴データを示す図である。
【図６】実施例３で取得する視聴データを示す図である。
【図７】実施例４で取得する視聴データを示す図である。
【図８】実施例５で取得する視聴データを示す図である。
【図９】実施例６で取得する視聴データを示す図である。
【符号の説明】
【０１１７】
１  放送局
２  放送所
３  家屋
４  スピーカ付モニタ
５  デジタル放送受信機
６  インターネット
７  視聴率集計装置
２１  デジタル放送受信部
２２  データ放送解析部
２３  番組情報解析部
２４  番組情報記憶部
２５  入力部
２６  視聴状況情報取得部
２７  視聴状況記憶部
２８  送信部
２９  視聴者
【図１】
2005079978.tif 000003
【図２】
2005079978.tif 000004
【図３】
2005079978.tif 000005
【図４】
2005079978.tif 000006
【図５】
2005079978.tif 000007
【図６】
2005079978.tif 000008
【図７】
2005079978.tif 000009
【図８】
2005079978.tif 000010
【図９】
2005079978.tif 000011